(57)【要約】【課題】操作性の良いボタン構造及びこれを用いたリモートコントローラを提供する。【解決手段】壁面Ｗに配設され、電子機器を遠隔操作するリモートコントローラＡに適用される押ボタン構造であって、前記リモートコントローラは、操作スイッチ４１が配設される回路基板４０を内蔵する本体ハウジング１０と、該本体ハウジング上面に形成された凹部３０Ｂに取付けられ、押下げ操作によって前記操作スイッチを作動する押ボタン２０Ｂとを備えており、前記押ボタンは、前記壁面に沿う方向に横長に形成されたキートップ２１を有し、該キートップは、押下げ操作されたときには、その裏面後方側が前記凹部に形成された支持凸部３１で片持ち支持されるようにして傾斜する構造とされている。【選択図】図１
2008130530.tif 000002
【特許請求の範囲】
【請求項１】
壁面に配設され、電子機器を遠隔操作するリモートコントローラに適用される押ボタン構造であって、
前記リモートコントローラは、操作スイッチが配設される回路基板を内蔵する本体ハウジングと、該本体ハウジング上面に形成された凹部に取付けられ、押下げ操作によって前記操作スイッチを作動する押ボタンとを備えており、
前記押ボタンは、前記壁面に沿う方向に横長に形成されたキートップを有し、
該キートップは、押下げ操作されたときには、その裏面後方側が前記凹部に形成された支持凸部で片持ち支持されるようにして傾斜する構造とされていることを特徴とする押ボタン構造。
【請求項２】
請求項１において、
前記押ボタンのキートップは、その裏面略中央に前記押下げ操作によって前記操作スイッチを作動させる操作棹を突出させ、その両側に係止爪を形成しており、前記リモートコントローラの凹部には、前記操作棹を挿貫させる孔部と、前記係止爪を挿入させて係止する係止孔部とを形成していることを特徴とする押ボタン構造。
【請求項３】
請求項１または２に記載の押ボタン構造を用いた、壁面設置型リモートコントローラ。
【請求項４】
請求項３において、
トイレ室内壁に配設され、便器本体を遠隔操作するものである、リモートコントローラ。
【発明の詳細な説明】
【技術分野】
【０００１】
本発明は、押ボタン構造及びこれを用いたリモートコントローラに関し、詳しくは、壁面に配設され、電子機器を遠隔操作するリモートコントローラに適用される押ボタン構造及びこれを用いたリモートコントローラに関するものである。
【背景技術】
【０００２】
従来、壁面に配設され、電子機器を遠隔操作するリモートコントローラとして、例えば、トイレ室内壁に配設され、便器本体を遠隔操作する便器用リモートコントローラが知られている。
このような便器用リモートコントローラでは、便器本体の各種機器を作動するための各種ボタンがリモートコントローラの本体ハウジングに設けられているが、特に、便座を開（起立）駆動するための便座開駆動ボタンや、水洗制御システムを作動し、水洗を行うための大・小の水洗駆動ボタンなどは、立姿での使用者と、座姿での使用者との双方の操作性を考え、前記本体ハウジングの上面（天面）に、設けられることが多い。（例えば、特許文献１の図５参照。）
【０００３】
また、このような壁面に配設されたリモートコントローラの上面に設けられた押ボタンにおいて、使用者の操作性を向上させるには、押ボタンの操作部、すなわちキートップを横長に大きくすることがなされている。また、壁面側に近接した部位よりも、前方側の部位の押下げ操作がなされることが多い。
【特許文献１】特開２００４−２８５７６７号公報
【発明の開示】
【発明が解決しようとする課題】
【０００４】
しかし、前記のような押ボタンは、使用者による押下げ操作により、押ボタンの裏面に突出した操作棹が、本体ハウジング内の回路基板に配設されたタクトスイッチなどの操作スイッチの操作子を押下げて、該操作スイッチを作動させて制御がなされる構成となっており、前記したようにキートップを横長に大きくした場合、前記操作棹による前記操作スイッチの押下げが、該キートップの押下げ部位に左右され、すなわち押下げ部位により操作棹のブレが大きくなり、該操作スイッチの押下げがうまくなされない、あるいは、押下げ操作による押圧力が一定に該操作スイッチに付与されず、該操作スイッチを破損してしまう恐れがあり、このような問題は、特に、壁面側に近接した部位よりも前方側の部位の押下げ操作がなされることが多い、壁面に配設されるリモートコントローラの上面に、横長に形成された押ボタンにおいて顕著であった。
【０００５】
本発明は、前記問題を解決するために提案されたもので、その目的は、押ボタンの押下げ操作による操作スイッチへの押圧力を一定にし、操作性の良いボタン構造及びこれを用いたリモートコントローラを提供することにある。
【課題を解決するための手段】
【０００６】
前記目的を達成するために、請求項１に記載の押ボタン構造は、壁面に配設され、電子機器を遠隔操作するリモートコントローラに適用される押ボタン構造であって、前記リモートコントローラは、操作スイッチが配設される回路基板を内蔵する本体ハウジングと、該本体ハウジング上面に形成された凹部に取付けられ、押下げ操作によって前記操作スイッチを作動する押ボタンとを備えており、前記押ボタンは、前記壁面に沿う方向に横長に形成されたキートップを有し、該キートップは、押下げ操作されたときには、その裏面後方側が前記凹部に形成された支持凸部で片持ち支持されるようにして傾斜する構造とされていることを特徴とする。
【０００７】
請求項２では、請求項１において、前記押ボタンのキートップは、その裏面略中央に前記押下げ操作によって前記操作スイッチを作動させる操作棹を突出させ、その両側に係止爪を形成しており、前記リモートコントローラの凹部には、前記操作棹を挿貫させる孔部と、前記係止爪を挿入させて係止する係止孔部とを形成していることを特徴とする。
【０００８】
請求項３に記載のリモートコントローラは、請求項１または２に記載の押ボタン構造を用いた、壁面設置型リモートコントローラである。
【０００９】
請求項４では、請求項３のリモートコントローラが、トイレ室内壁に配設され、便器本体を遠隔操作するものである。
【発明の効果】
【００１０】
請求項１または２に記載の押ボタン構造によれば、壁面に配設されるリモートコントローラの本体ハウジング上面に取付けられ、横長に形成された該押ボタンのキートップが、押下げ操作されたときには、その裏面後方側が支持凸部で片持ち支持されるようにして傾斜する構造としているので、押ボタンの前方側のどの部位の押下げ操作がなされても、均一に操作スイッチの押下げがなされ、操作スイッチの破損等を防止できる。
また、押ボタンの前方側のどの部位の押下げ操作がなされても、均一に操作スイッチの押下げがなされるので、操作性に優れたものとなる。
【００１１】
請求項２では、押ボタンのキートップに形成された係止爪と、リモートコントローラの凹部に形成された係止孔部とにより、リモートコントローラの凹部への押ボタンの取付けや取外しを容易に行うことができる。
【００１２】
請求項３に記載の壁面設置型リモートコントローラによれば、請求項１または２に記載のボタン構造を用いることにより、押ボタンの前方側のどの部位の押下げ操作がなされても、均一に操作スイッチの押下げがなされ、操作スイッチの破損等を防止できる。
また、押ボタンの前方側のどの部位の押下げ操作がなされても、均一に操作スイッチの押下げがなされるので、操作性に優れたものとなる。
さらに、押ボタンのキートップが、その裏面略中央に操作棹を突出させ、その両側に係止爪を形成しており、前記リモートコントローラの凹部には、前記操作棹を挿貫させる孔部と、前記係止爪を挿入させて係止する係止孔部とを形成しているものでは、押ボタンのキートップに形成された係止爪と、リモートコントローラの凹部に形成された係止孔部とにより、リモートコントローラの凹部への押ボタンの取付けや取外しを容易に行うことができる。
【００１３】
請求項４に記載のトイレ室内壁に配設され、便器本体を遠隔操作するリモートコントローラによれば、特に、便座を開（起立）駆動するための便座開駆動ボタンや、水洗制御システムを作動し、水洗を行うための大・小の水洗駆動ボタンなどが、立姿での使用者と、座姿での使用者との双方の操作性を考えて、リモートコントローラの本体ハウジングの上面に設けられることが多く、請求項１または２に記載のボタン構造を、それらのボタンに用いることにより、前記同様の効果を奏する。
【発明を実施するための最良の形態】
【００１４】
以下に、本発明の実施の形態について、図面を参照しながら説明する。
図１乃至図３は、本実施形態に係るボタン構造及びこれを用いた便器用リモートコントローラを示し、図１は、同実施形態に係る押ボタン構造及びこれを用いた便器用リモートコントローラの一例を示す一部分解概略斜視図、図２は、同実施形態の部分拡大斜視図を示し、（ａ）は、押ボタンを裏面側から見た概略斜視図、（ｂ）は、凹部の部分拡大斜視図、図３は、同実施形態の部分拡大断面図を示し、（ａ）は、図１におけるＸ−Ｘ線矢視概略断面図、（ｂ）は、図１におけるＹ−Ｙ線矢視概略断面図、（ｃ）は、押ボタンが押下げ操作されている状態を示す（ｂ）と同じ部分の図である。
尚、図３は、それぞれ図１において、押ボタンが凹部に取付けられた状態の断面を図示しており、また、図３（ａ）では、押ボタン以外を破断した概略断面を図示している。
また、以下の実施形態では、壁面に配設され、電子機器を遠隔操作するリモートコントローラとして便器用リモートコントローラを例示しているが、これに限られず、他のリモートコントローラ、例えばインターホン装置や火災受信機、その他の壁面に配設され、電子機器を遠隔操作するどのようなリモートコントローラにも本発明の押ボタン構造の適用が可能である。
【００１５】
図１では、本実施形態に係るボタン構造を用いたリモートコントローラとして、トイレ室内壁Ｗ（図３参照）に配設され、便器本体（不図示）を遠隔操作する便器用リモートコントローラＡを例示している。
便器用リモートコントローラＡは、例えば硬質の樹脂材で成形された本体ハウジング１０と、便器本体の各種機器を遠隔操作するための後記する各種押ボタン１９ａ乃至１９ｈ（前面押ボタン）、２０Ａ乃至２０Ｃ（上面押ボタン）と、便器本体との各種信号の送受信を無線により可能にするリモコン側赤外線送受信部１８、１８と、便器本体の各種機器の設定状況や現在時刻、温度などが表示される液晶パネル１７とを備えている。
【００１６】
前記本体ハウジング１０は、後記する操作スイッチ４１が配設される回路基板４０（図３参照）を内蔵しており、前面カバー１１と、後面カバー１６と、後記する上面押ボタン取付プレート３０とから構成されており、前面カバー１１の裏面の適所には、回路基板４０とともに後面カバー１６をネジ止めするためのネジ穴が形成されたボス部（不図示）が突設されている。
前面カバー１１は、前面押ボタン１９ａ乃至１９ｈのキートップが露出する開口を適所に有した前面部１２と、前面部１２の左右側端縁から後面カバー１６側へ延出する左右側面部１５ａ、１５ｂと、前面部１２の下端縁から後面カバー１６側へ延出し、左右側面部１５ａ、１５ｂの下端縁と連設された下面部１３と、前面部１２の上端縁から後面カバー１６側へ延出し、左右側面部１５ａ、１５ｂの上端縁と連設された上面部１４とから構成されている。
すなわち、本体ハウジング１０は、前面カバー１１と、後面カバー１６とで回路基板４０を内包するようにしてネジ止めにより組み付けられている。
【００１７】
前面押ボタン１９ａ乃至１９ｈは、例えば、１９ａは、便器本体に設けられた局部洗浄装置（不図示）や乾燥装置（不図示）などの作動を停止するための停止ボタン、１９ｂは、局部洗浄装置のおしり洗浄ノズル（不図示）を作動させるためのおしり洗浄ボタン、１９ｃは、局部洗浄装置のビデ洗浄ノズル（不図示）を作動させるためのビデ洗浄ボタン、１９ｄは、乾燥装置を作動させるための乾燥ボタン、１９ｅ及び１９ｆは、各局部洗浄ノズルからの水圧を変更するための洗浄強弱ボタン、１９ｇ及び１９ｈは、各局部洗浄ノズルの前後位置を変更するためのノズル位置変更ボタンなどとして、図示のように前面部１２の適所に配設されている。
【００１８】
上面部１４の適所には、後記する上面押ボタン２０Ａ乃至２０Ｃが配設される開口１４Ａ乃至１４Ｃが形成されており、開口１４Ａ乃至１４Ｃの下方には、後記する上面押ボタン取付プレート３０が前面カバー１１の内壁上端部及び後面カバー１６の内壁上端部のそれぞれに形成された嵌合部に嵌め込まれ、両カバー間に架設されるようにして（図３参照）、凹部３０Ａ乃至３０Ｃの底部を形成している。
上面押ボタン２０Ａ乃至２０Ｃは、例えば、２０Ａは、便座（不図示）を開駆動するための便座開駆動ボタン、２０Ｂ及び２０Ｃは、水洗制御システムを作動し、水洗を行うための水洗大ボタン及び水洗小ボタンであり、前記したように、立姿での使用者と、座姿での使用者との双方の操作性を考え、本体ハウジング１０の上面（天面）部１４に設けられている。
【００１９】
前記したような各種押ボタン１９ａ乃至１９ｈ（前面押ボタン）、２０Ａ乃至２０Ｃ（上面押ボタン）を使用者が押下げ操作すると、リモコン側赤外線送受信部１８、１８を介して制御信号が便器本体の制御部に送信され、便器本体の各種装置の制御がなされる構成としている。
尚、便器本体と便器用リモートコントローラＡとの各種信号の送受信は、無線によるものではなく、有線によるものでもよい。
【００２０】
次に、本実施形態に係る押ボタン構造について、図２及び図３に基づいて説明する。
尚、以下では、本実施形態に係る押ボタン構造を水洗大ボタン２０Ｂに適用した例を説明するが、便座開駆動ボタン２０Ａや水洗小ボタン２０Ｃ、あるいは上面部１４に設けられる他の押ボタンにも本発明の適用が可能である。
【００２１】
水洗大ボタン２０Ｂは、本体ハウジング１０と同様の硬質の樹脂材で成形されており、トイレ室内壁Ｗに沿う方向に横長に形成され、使用者が押下げ操作するキートップ２１と、キートップ２１の裏面略中央に突出され、後記する操作スイッチ４１を作動する操作棹２２と、その両側に突出された係止爪２３、２３とを有している。
キートップ２１は、平板状に形成された平板部２１ａと、平板部２１ａの端縁から下方に突出する突出縁部２１ｃを有し、平板部２１ａの裏面略中央から操作棹２２を突出させ、その両側に係止爪２３、２３を突出させている。
係止爪２３、２３は、後記する上面押ボタン取付プレート３０に形成された２つの係止孔部３３、３３に挿入可能なように、係止孔部３３、３３の内周壁よりも、その外周壁が僅かに小さく形成され、両係止爪２３、２３のそれぞれ外方（操作棹２２を中心とした場合の外方）に向かって突出する爪片２３ａ、２３ａの外方端間の幅は、両係止孔部３３、３３のそれぞれ外方（孔部３２を中心とした場合の外方）側の内壁間の幅よりも大となるように形成されている。
また、操作棹２２は、上面押ボタン取付プレート３０に形成された孔部３２の内径よりも、その外径が僅かに小さく形成されており、孔部３２へ挿貫可能に形成されている。
さらに、キートップ２１は、本体ハウジング１０の上面部１４に形成された開口１４Ｂの内周壁よりも、その外周壁が僅かに小さく形成されており、開口１４Ｂへの嵌め込みが可能なように形成されている。
【００２２】
一方、水洗大ボタン２０Ｂが取付けられる本体ハウジング１０に形成された凹部３０Ｂの底部を構成する上面押ボタン取付プレート３０は、キートップ２１の突出縁部２１ｃの後方側下端面２１ｂを支持する支持凸部３１と、操作棹２２が挿貫される孔部３２と、係止爪２３、２３が挿入される係止孔部３３、３３とを有している。
支持凸部３１は、凹部３０Ｂを構成する開口１４Ｂの後方側（トイレ室内壁Ｗ側）内壁１４ｂに沿って位置するように、キートップ２１の長手方向（トイレ室内壁Ｗに沿う方向）に沿って、突条に形成されており、キートップ２１が押下げ操作されたときには、キートップ２１の突出縁部２１ｃの後方側下端面２１ｂが支持凸部３１の上面に当接する。
孔部３２、係止孔部３３、３３のそれぞれ孔壁部３２ａ、３３ａ、３３ａは、本実施形態では、それぞれ上面押ボタン取付プレート３０上から突出するようにして形成されており、これにより、上面押ボタン取付プレート３０上に水等が浸入した場合に、孔部３２、係止孔部３３、３３を通じて、本体ハウジング１０に内蔵された回路基板４０等への水等の浸入、付着を防止でき、また詳述は省略するが上面押ボタン取付プレート３０には、水等が浸入した場合に本体ハウジング１０外に排出する排出口に水等を誘導する誘導樋が形成されている。
【００２３】
尚、本実施形態では、突出縁部２１ｃの後方側下端面２１ｂと、支持凸部３１の上面との間に、水洗大ボタン２０Ｂの押下げ操作がなされない状態では、後記する操作スイッチ４１のストローク量より小さく設定された僅かな間隙が形成されているが、水洗大ボタン２０Ｂの押下げ操作がなされない状態において、突出縁部２１ｃの後方側下端面２１ｂと、支持凸部３１の上面とが当接するような構成としてもよい。
また、孔部３２、係止孔部３３、３３の孔壁部３２ａ、３３ａ、３３ａは、それぞれ上面押ボタン取付プレート３０上から突出するようにして形成されているが、突出させない構成としてもよい。
【００２４】
前記構成とされた、水洗大ボタン２０Ｂを上面押ボタン取付プレート３０に取付けるには、図２（ｂ）に示すように本体ハウジング１０が組み付けられた状態で、その上方から水洗大ボタン２０Ｂを凹部３０Ｂに嵌め込むようにして、容易に取付が可能である。
すなわち、水洗大ボタン２０Ｂを、上方から押圧すると、両係止爪２３、２３間の幅が弾性変形を伴って収縮し、両係止孔部３３、３３のそれぞれ外方側の内壁に沿って、両係止爪２３、２３の挿入がなされ、容易に取付が可能である。
また、両係止爪２３、２３が所定位置まで挿入がなされると、両係止爪２３、２３の復元力により、前記したように爪片２３ａ、２３ａの外方端間の幅が、両係止孔部３３、３３のそれぞれ外方の内壁間の幅よりも大きくなり、水洗大ボタン２０Ｂの抜け止めとして機能する。
【００２５】
水洗大ボタン２０Ｂと、操作スイッチ４１とは、前記のように水洗大ボタン２０Ｂが取付けられた状態で、操作棹２２の下端面が操作スイッチ４１の上面に当接するような位置関係とされており、すなわち、本実施形態では、水洗大ボタン２０Ｂは、押下げ操作がなされない状態では、操作スイッチ４１に保持されている。
操作スイッチ４１は、本実施形態では、ノンロックタイプのタクトスイッチ（タクティールスイッチ）を適用しており、スイッチハウジング４１ａに上下揺動可能に内装され、スイッチハウジング４１ａ内のバネ片（メタルスプリング）（不図示）により常時上向付勢された操作子（ステム）４１ｂを備えている。すなわち、該バネ片により水洗大ボタン２０Ｂが常時上向付勢される構成としている。
尚、水洗大ボタン２０Ｂを常時上向付勢する弾性部材を別途、水洗大ボタン２０Ｂと上面押ボタン取付プレート３０との間に設ける構成としてもよい。
【００２６】
タクトスイッチ４１は、前記のような構成により、その押下げ操作がなされると、バネ片の反転動作を伴い、クリック感（タクティールフィードバック）が得られ、これにより、使用者は、押ボタンの操作による各種機器の作動がなされることを認識できる。
尚、図示省略しているが、回路基板４０には、前面押ボタン１９ａ乃至１９ｈ、上面押ボタン２０Ａ及び２０Ｃのそれぞれに対応する操作スイッチが配設されている。
【００２７】
タクトスイッチ４１のストローク量は、非常に小さく通常１ｍｍ以下、例えば０．３ｍｍ前後であり、それに合わせて、前記した各部材の設計が適宜なされる。
すなわち、本実施形態では、前記したようにキートップ２１の突出縁部２１ｃの後方側下端面２１ｂと、上面押ボタン取付プレート３０の支持凸部３１の上面との間に、水洗大ボタン２０Ｂの押下げ操作がなされない状態で、タクトスイッチ４１のストローク量より小さく設定された間隙が形成されるように、かつ、操作棹２２の下端面が前記したようにタクトスイッチ４１の上面に当接するように、その長さが設定され、また、係止爪２３、２３の突出量もこれに応じて設定される。
これにより、使用者が水洗大ボタン２０Ｂを押下げ操作すると、タクトスイッチ４１の作動が可能となる前に、支持凸部３１の上面にキートップ２１の突出縁部２１ｃの後方側下端面２１ｂが当接して、水洗大ボタン２０Ｂの後方側が、長手方向に沿って均一に片持ち支持されるようにして、その前方側が、図３（ｃ）に示すように傾斜、すなわち突出縁部２１ｃの後方側下端面２１ｂと支持凸部３１との当接部を支点として反時計回りに回動するようにして、押下げられる。
この状態では、操作棹２２によりタクトスイッチ４１の操作子４１ｂが作動可能なまでに、すなわち所定のストローク量に応じて押下げられ、その作動がなされる。
尚、操作棹２２の外径及び係止爪２３、２３の外周壁の大きさも、前記動作が可能なように、それぞれ挿貫、挿入される孔部３２、係止孔部３３、３３内での揺動が可能なように設定されている。
【００２８】
前記構成によれば、水洗大ボタン２０Ｂの前方側のどの部位、すなわち長手方向に沿って、左右のいずれの部位が押下げ操作なされても、均一にタクトスイッチ４１の押下げがなされ、タクトスイッチ４１の破損等を防止できる。
また、水洗大ボタン２０Ｂの前方側のどの部位の押下げ操作がなされても、均一にタクトスイッチ４１の押下げがなされるので、操作性に優れたものとなる。
すなわち、水洗大ボタン２０Ｂの押下げ操作がなされた状態でキートップ２１の突出縁部２１ｃの後方側下端面２１ｂが支持凸部３１により支持されていないものでは、横長に形成されたキートップ２１の長手方向に沿って左右端部近傍部位の押下げがなされると、操作棹２２のブレが大きくなり、タクトスイッチ４１へ対する押圧力が一定とならず、タクトスイッチ４１がうまく作動されない、あるいは破損を生じる等の恐れがあるが、本実施形態では、前記のようにこれらを防止できる。
【００２９】
さらに、本実施形態では、キートップ２１の長手方向と直交する方向の幅は、タクトスイッチ４１を作動可能なまでに水洗大ボタン２０Ｂが押下げ操作された状態で、本体ハウジング１０の上面部１４に形成された開口１４Ｂの前方側内壁１４ａの一部と、キートップ２１の突出縁部２１ｃの前方側外壁の一部とが、当接するように設定され、それに併せて操作棹２２の長さも設定されている。
これにより、開口１４Ｂの前方側内壁１４ａが、キートップ２１のストッパーとして機能し、操作棹２２のタクトスイッチ４１への押圧力過多によるタクトスイッチ４１の破損等を防止できる。
【００３０】
尚、本実施形態では、凹部３０Ｂに形成された支持凸部３１は、突条の形状とされたものを例示しているが、これに限られず、キートップ２１の長手方向に沿って、その突出縁部２１ｃの後方側下端面２１ｂを均一に保持できる形状のものであれば良く、例えば、同高さの複数の突起を設ける構成としてもよい。
また、水洗大ボタン２０Ｂの凹部３０Ｂへの取付けも係止爪２３、２３によるものではなく、その押下げ操作が可能、すなわち揺動可能なように、例えば嵌合などにより取付ける構成としてもよい。
さらに、本実施形態では、凹部３０Ｂを構成する上面押ボタン取付プレート３０を、前面カバー１１及び後面カバー１６とは別体として構成しているが、いずれかと一体として成形し、凹部３０Ｂを形成する構成としてもよい。
さらにまた、操作スイッチ４１として、タクトスイッチを適用したものを例示しているが、これに限られず、プッシュスイッチなどを適用してもよい。
【図面の簡単な説明】
【００３１】
【図１】本発明に係る押ボタン構造及びこれを用いた便器用リモートコントローラの実施形態の一例を示す一部分解概略斜視図である。
【図２】同実施形態の部分拡大斜視図を示し、（ａ）は、押ボタンを裏面側から見た概略斜視図、（ｂ）は、凹部の部分拡大斜視図である。
【図３】同実施形態の部分拡大断面図を示し、（ａ）は、図１におけるＸ−Ｘ線矢視概略断面図、（ｂ）は、図１におけるＹ−Ｙ線矢視概略断面図、（ｃ）は、押ボタンが押下げ操作されている状態を示す（ｂ）と同じ部分の図である。
【符号の説明】
【００３２】
１０      本体ハウジング
２０Ｂ      水洗大ボタン（押ボタン）
２１      キートップ
２２      操作棹
２３      係止爪
３０Ｂ      凹部
３１      支持凸部
３２      孔部
３３      係止孔部
４０      回路基板
４１      タクトスイッチ（操作スイッチ）
Ａ      便器用リモートコントローラ（リモートコントローラ）
Ｗ      トイレ室内壁（壁面）
【図１】
2008130530.tif 000003
【図２】
2008130530.tif 000004
【図３】
2008130530.tif 000005